(57)【要約】【課題】  引き戸の戸袋収納時に、指が戸袋に挟み込まれることを阻止することができる引き戸ストッパー装置を提供する。【解決手段】  引き戸ストッパー装置１は、引き戸７１の一側に設けられ、ケース２と、ケース２に設けられた摺動片１１と、一端３０ｂが摺動片１１に当接し、他端３０ａが戸枠６１の凸部８１に係合可能な当接片３０と、摺動片１１に一方３６が取り付けられ、他方３７がケース２側に設けられた案内溝４０に案内されるストッパー軸３５とからなる。案内溝４０は、ストッパー軸３５の他方３７を初期位置４５から係合部４８を経て中間位置４９に案内する第１の案内溝４１と、中間位置４９から最終位置５０に案内する第２の案内溝４２と、最終位置５０から中間位置４９を経て初期位置４５に案内する第３の案内溝４３とで構成されている。【選択図】        図１
2013112968.tif 000002
【特許請求の範囲】
【請求項１】
戸枠に開閉可能に設けられた引き戸の一側に設けられるストッパー装置であって、
ケースと、
ケースに摺動可能に設けられ、弾性部材により付勢される摺動片と、
ケースに回動可能に取り付けられ、一端が摺動片に当接し、他端がケースから突出し、戸枠の凸部に係合可能な当接片と、
ケースの一側に設けられた案内溝と、
摺動片の一側に一方が取り付けられ、他方が案内溝に案内されるストッパー軸とからなり、
案内溝は、前記弾性部材の弾性によりストッパー軸の他方を係止させる初期位置と、前記弾性部材の弾性に抗して、ストッパー軸の他方を初期位置から係合部を経て中間位置に案内する第１の案内溝と、前記弾性部材の弾性に抗して、ストッパー軸の他方を中間位置から最終位置に案内する第２の案内溝と、前記弾性部材の弾性によりストッパー軸の他方を最終位置から中間位置を経て初期位置に案内する第３の案内溝とで構成されていることを特徴とする引き戸ストッパー装置。
【請求項２】
前記第３の案内溝には、ストッパー軸の他方が初期位置から中間位置に移動することを阻止する阻止部が形成されていることを特徴とする請求項１記載の引き戸ストッパー装置。
【発明の詳細な説明】
【技術分野】
【０００１】
本発明は、襖、障子、窓戸、引込み戸、引き出し等のスライド式引き戸に取り付けられるストッパー装置に関する。
【背景技術】
【０００２】
従来、引き戸装置は、図３に示すように、引き戸７１と、引き戸７１が摺動可能に取り付けられる戸枠６１とからなる。戸枠６１は、引き戸７１を案内する下案内部材６２及び上案内部材６３と、引き戸７１が当接する前戸当たり板６４及び後戸当たり板６５とで構成される。引き戸装置には、戸枠６１に一対の引き戸７１が取り付けられているものや、戸枠６１の略半分が戸袋６６内に収納されているものが存在する。一対の引き戸７１を備えた引き戸装置は、開閉時に前戸当たり板６４及び後戸当たり板６５に当接する。戸袋６６を備えている引き戸装置は、引き戸７１を閉じると後戸当たり板６５に当接し、引き戸７１を開くと前戸当たり板６４に当接して戸袋６６内に収納される。引き戸７１の先部側面には、指掛け部７２が形成されている。
【０００３】
従来の引き戸装置は、引き戸が前又は後の戸当たり板に衝撃的に当接すると、衝撃音が発生すると共に引き戸及び戸枠が破損する虞があるので、引き戸の動きを緩衝して緩やかに開閉させる緩衝装置が提案されている（例えば、特許文献１、２）。一つの緩衝装置は、引き戸の上端に取り付けられ、戸枠に取り付けられたストッパーに係合する係合突起と、係合突起を付勢する弾性部材を有する。この緩衝装置は、引き戸を閉めると係合突起が戸枠のストッパーに当接して弾性部材の弾性に抗して押し込まれるので、引き戸がその抵抗により制動されてゆっくり閉まることになる。
【０００４】
また、もう一つの緩衝装置は、引き戸の上部に取り付けられ、戸枠に取り付けられたストッパーに係合する係合部材と、係合部材を制動するダンパーを有する。この緩衝装置は、引き戸を閉めると係合部材が戸枠のストッパーに当接してダンパーの抵抗に抗して押し込まれるので、引き戸がダンパーの抵抗により制動されてゆっくり閉まることになる。
【０００５】
さらにまた、従来の引き戸装置は、指掛け部に指を引っ掛けて引き戸を閉めた場合、引き戸と戸袋の間に指を挟んでしまう虞があるので、これを防止するためストッパー装置が提案されている（例えば、特許文献３）。このストッパー装置は、引き戸と戸枠に取り付けられた弾性金具であって、引き戸を閉めた場合、引き戸の弾性金具と戸枠の弾性金具が係止して引き戸を停止させ、さらに引き戸を押圧することにより、係止が解除されて引き戸を戸袋内に収納できるようにしたものである。
【先行技術文献】
【特許文献】
【０００６】
【特許文献１】特開平９−１５８６０６号公報
【特許文献２】特開２００７−１８２７１５号公報
【特許文献３】特開２００１−４０９３３号公報
【発明の概要】
【発明が解決しようとする課題】
【０００７】
上記緩衝装置を備えた引き戸装置は、弾性部材の弾性又はダンパーの抵抗により、引き戸の開閉を緩やかにするものであるが、引き戸を完全に停止させることができないので、強い力で引き戸を開閉させた場合には、引き戸が前又は後の戸当たり板に衝撃的に当接し、引き戸、戸枠等の破損の原因となるという問題点があった。また、ストッパー装置を備えた引き戸装置は、弾性金具同士の接触により引き戸を減速させるものであるが、強い力で引き戸を開いた場合には、引き戸が停止することなく戸袋内に収納されるので、指が戸袋と引き戸の間に挟み込まれるという問題点があった。
【０００８】
本願発明は、上記問題点に鑑み案出したものであって、引き戸が戸枠の戸当たり板に当接する前に、確実に停止させ、その後引き戸を戸当たり板に当接させることができるので、引き戸が戸当たり板に衝撃的に当接することを回避することができ、さらに指が戸袋内に挟み込まれることを阻止することができる引き戸ストッパー装置を提供することを目的とする。
【課題を解決するための手段】
【０００９】
本願請求項１記載の引き戸ストッパー装置は、上記目的を達成するため、戸枠に開閉可能に設けられた引き戸の一側に設けられるストッパー装置であって、ケースと、ケースに摺動可能に設けられ、弾性部材により付勢される摺動片と、ケースに回動可能に取り付けられ、一端が摺動片に当接し、他端がケースから突出し、戸枠の凸部に係合可能な当接片と、ケースの一側に設けられた案内溝と、摺動片の一側に一方が取り付けられ、他方が案内溝に案内されるストッパー軸とからなり、案内溝は、前記弾性部材の弾性によりストッパー軸の他方を係止させる初期位置と、前記弾性部材の弾性に抗して、ストッパー軸の他方を初期位置から係合部を経て中間位置に案内する第１の案内溝と、前記弾性部材の弾性に抗して、ストッパー軸の他方を中間位置から最終位置に案内する第２の案内溝と、前記弾性部材の弾性によりストッパー軸の他方を最終位置から中間位置を経て初期位置に案内する第３の案内溝とで構成されていることを特徴とする。
【００１０】
本願請求項２記載の引き戸ストッパー装置は、上記目的を達成するため、前記第３の案内溝には、ストッパー軸の他方が初期位置から中間位置に移動することを阻止する阻止部が形成されていることを特徴とする。
【発明の効果】
【００１１】
本願発明に係る引き戸ストッパー装置は、戸枠に開閉可能に設けられた引き戸に取り付けられる。引き戸を一方に移動させると、ケースに回動可能に取り付けられた当接片の他端が、戸枠の凸部に係合して当接片が回動し、当接片の一端が摺動片を弾性部材の弾性に抗して摺動させる。このように引き戸を一方に移動させると弾性部材の抵抗により引き戸に制動がかけられる。摺動片が摺動すると、ストッパー軸の他方が初期位置から第１の案内溝に沿って移動して係合部に係合し、摺動片がロックされる。摺動片がロックされると、当接片が回動不能となった状態で戸枠の凸部に当接し、引き戸の移動が停止する。このように、本願発明に係る引き戸ストッパー装置は、引き戸が戸枠に当接する前に、弾性部材の抵抗により制動がかけられながら戸枠の凸部に当接して引き戸を停止させるので、引き戸が衝撃的に戸枠に当接することを避け、引き戸ストッパー装置、戸枠、引き戸を保護することができるという効果がある。
【００１２】
本願発明に係る引き戸ストッパー装置は、当接片が回動不能となって戸枠の凸部に当接し、引き戸の移動が停止した後、引き戸を他方向に僅かに移動させると、当接片が僅かに回動可能となり、弾性部材により摺動片が摺動し、ストッパー軸の他方が係合部から第１の案内溝に沿って中間位置に移動する。ストッパー軸の他方が中間位置に移動すると、摺動片が自由状態となり、当接片が回動可能となる。この状態で、さらに引き戸を一方に移動させると、ケースに回動可能に取り付けられた当接片の他端が、戸枠の凸部に沿って回動し、当接片の一端が摺動片を弾性部材の弾性に抗して移動させ、ストッパー軸の他方が中間位置から第２の案内溝に沿って最終位置に移動する。
【００１３】
本願発明に係る引き戸ストッパー装置は、引き戸を一方に移動させて、当接片が戸枠の凸部から外れると、当接片が回動可能となり、弾性部材により摺動片が摺動し、ストッパー軸の他方が最終位置から第２の案内溝に沿って中間位置に移動し、さらに中間位置から第３の案内溝に沿って初期位置に移動するので、初期状態に復帰する。このように、本願発明に係る引き戸ストッパー装置は、引き戸を一方に移動させると戸枠の凸部に当接して、引き戸を戸枠の戸当たり板に当たる直前で確実に停止させるので、引き戸及び戸枠を損傷から保護することができるという効果がある。また、引き戸を戸袋に収納させる場合には、引き戸が戸袋内に完全に収納される前に引き戸を確実に一旦停止させるので、指が引き戸と戸袋の間に巻き込まれることがなく、安全性を確保することができるという効果がある。
【００１４】
本願発明に係る引き戸ストッパー装置は、引き戸を他方に移動させると、当接片の他端が戸枠の凸部に当接するが、当接片の一端が摺動片から外れるので当接片が回動可能となり、引き戸をスムーズに他方に移動させることができるという効果がある。
【００１５】
本願発明に係る引き戸ストッパー装置は、前記第３の案内溝にストッパー軸の他方が初期位置から中間位置に移動することを阻止する阻止部が形成されているので、ストッパー軸の他方を初期位置から係合部に確実に移動させることができ、引き戸を一方に移動させると、戸枠の戸当たり板に当接する直前で確実に停止させることができるという効果がある。
【図面の簡単な説明】
【００１６】
【図１】本願発明に係る引き戸ストッパー装置の一つの形態を示す説明図であって、（ａ）が側面図、（ｂ）が平面図、（ｃ）が正面図である。
【図２Ａ】図１の引き戸ストッパー装置の部分説明図である。
【図２Ｂ】図１の引き戸ストッパー装置の部分説明図である。
【図３】図１の引き戸ストッパー装置を組み込んだ引き戸の説明図である。
【図４】図１の引き戸ストッパー装置の動作説明図である。
【図５】図１の引き戸ストッパー装置の動作説明図である。
【図６】図１の引き戸ストッパー装置のストッパー軸の動きを説明する説明図である。
【図７】図１の引き戸ストッパー装置のストッパー軸の動きを説明する説明図である。
【図８】引き戸を戸袋内から引き出す構成の説明図である。
【発明を実施するための形態】
【００１７】
引き戸ストッパー装置１は、図１，２Ａ,２Ｂに示すように、戸枠６１に開閉可能に設けられた引き戸７１の一側に設けられる。引き戸ストッパー装置１は、ケース２と、ケース２に摺動可能に設けられ、弾性部材２５により付勢される摺動片１１と、ケース２に回動可能に取り付けられ、一端３０ｂが摺動片１１に当接し、他端３０ａがケース２から突出し、戸枠６１の凸部８１に係合可能な当接片３０と、ケース２の一側に設けられた案内溝４０と、摺動片１１の一側に一方３６が取り付けられ、他方３７が案内溝４０に案内されるストッパー軸３５とからなる。
【００１８】
案内溝４０は、図６，７に示すように、前記弾性部材２５の弾性によりストッパー軸３５の他方３７を係止させる初期位置４５と、前記弾性部材２５の弾性に抗して、ストッパー軸３５の他方３７を初期位置４５から係合部４８を経て中間位置４９に案内する第１の案内溝４１と、前記弾性部材２５の弾性に抗して、ストッパー軸３５の他方３７を中間位置４９から最終位置５０に案内する第２の案内溝４２と、前記弾性部材２５の弾性によりストッパー軸３５の他方３７を最終位置５０から中間位置４９を経て初期位置４５に案内する第３の案内溝４３とで構成されている。
【００１９】
引き戸ストッパー装置１は、戸枠６１に開閉可能に設けられた引き戸７１に取り付けられる。引き戸７１をＸ方向に開くと（一方に移動させると）、ケース２に回動可能に取り付けられた当接片３０の他端３０ａが、戸枠６１の凸部８１に係合して当接片３０が回動し、当接片３０の一端３０ｂが摺動片１１を弾性部材２５の弾性に抗して引き戸７１の開く方向へ摺動させる。このように引き戸７１を開くと（一方に移動させると）弾性部材２５の抵抗により引き戸７１に制動がかけられる。
【００２０】
摺動片１１が引き戸７１の開く方向（Ｘ方向）へ摺動すると、ストッパー軸３５の他方３７が初期位置４５から第１の案内溝４１に沿って移動して係合部４８に係合し、摺動片１１がロックされる。摺動片１１がロックされると、当接片３０が回動不能となった状態で戸枠６１の凸部８１に固定され、引き戸７１の開放方向（Ｘ方向）への移動が停止する。このように、引き戸ストッパー装置１は、引き戸７１が戸枠６１に当接する前に、弾性部材２５の抵抗により制動がかけられながら戸枠６１の凸部８１に当接して引き戸７１を停止させるので、引き戸７１が衝撃的に戸枠６１に当接することを避け、引き戸ストッパー装置１、戸枠６１、引き戸７１を保護することができる。
【００２１】
引き戸ストッパー装置１は、当接片３０が回動不能となって戸枠６１の凸部８１に当接し、引き戸７１の開放方向（Ｘ方向）への移動が停止した後、引き戸７１を閉じる方向（Ｙ方向）に僅かに移動させると、当接片３０が僅かに回動可能となり、弾性部材２５により摺動片１１が引き戸７１の閉じる方向（Ｙ方向）に摺動し、ストッパー軸３５の他方３７が係合部４８から第１の案内溝４１に沿って中間位置４９に移動する。
【００２２】
ストッパー軸３５の他方３７が中間位置４９に移動すると、摺動片１１が自由状態となり、当接片３０が回動可能となる。この状態で、さらに引き戸７１をＸ方向に開くと、ケース２に回動可能に取り付けられた当接片３０の他端３０ａが、戸枠６１の凸部８１に沿って回動し、当接片３０の一端３０ｂが摺動片１１を弾性部材２５の弾性に抗して引き戸７１の開く方向（Ｘ方向）へ移動させ、ストッパー軸３５の他方３７が中間位置４９から第２の案内溝４２に沿って最終位置５０に移動する。
【００２３】
引き戸ストッパー装置１は、引き戸７１を開いて、当接片３０が戸枠６１の凸部８１から外れると、当接片３０が回動可能となり、弾性部材２５により摺動片１１が引き戸７１の閉じる方向（Ｙ方向）に摺動し、ストッパー軸３５の他方３７が最終位置５０から第２の案内溝４２に沿って中間位置４９に移動し、さらに中間位置４９から第３の案内溝４３に沿って初期位置４５に移動するので、初期状態に復帰する。
【００２４】
このように、引き戸ストッパー装置１は、引き戸７１を開くと戸枠６１の凸部８１に当接して、引き戸７１を戸枠６１の前戸当たり板６４に当たる直前で確実に停止させるので、引き戸７１及び戸枠６１を損傷から保護することができる。また、引き戸７１を戸袋６６に収納する場合には、引き戸７１が戸袋６６内に完全に収納される前に引き戸７１を確実に一旦停止させるので、指が引き戸７１と戸袋６６の間に巻き込まれることがなく、安全性を確保することができる。
【００２５】
次に、引き戸ストッパー装置１は、引き戸７１を閉じる方向（Ｙ方向）に移動させると、当接片３０の他端３０ａが戸枠６１の凸部８１に当接するが、当接片３０の一端３０ｂが摺動片１１から外れるので当接片３０が回動可能となり、引き戸７１をスムーズに閉じることができる。
【００２６】
引き戸ストッパー装置１は、前記第３の案内溝４３にストッパー軸３５の他方３７が初期位置４５から中間位置４９に移動することを阻止する阻止部５３が形成されているので、ストッパー軸３５の他方３７を初期位置４５から係合部４８に確実に移動させることができ、引き戸７１を開く方向（Ｘ方向）に移動させると、戸枠６１の前戸当たり板６４に当接する直前で確実に停止させることができる。
【００２７】
さらに引き戸ストッパー装置１について詳細に説明する。引き戸ストッパー装置１は、図１，２Ａ，２Ｂに示すように、ケース２と、摺動片１１と、摺動片１１を一方（Ｙ方向）に付勢する弾性部材２５と、ケース２に回動可能に取り付けられた当接片３０と、摺動片１１に取り付けられたストッパー軸３５とで構成される。ケース２は、合成樹脂によって形成され、底壁３と、右側壁４と、左側壁５とからなる。底壁３と右側壁４は、一体形成され、左側壁５は底壁３の左端に、係止爪、ネジ等の固定手段により取り付けられている。
【００２８】
底壁３には、長手方向に向かって一対のガイド突起６，７が延設され、ガイド突起６，７の前部にバネ受け板９が形成され、ガイド突起６，７の後部に係合板１０が形成されている。底壁３の上部には、一対のガイド突起６，７によって前後方向に摺動可能に案内される摺動片１１が設けられている。
【００２９】
摺動片１１は、直方体状に形成され、左側面の長手方向（前後方向）に一対の案内溝１２，１３が形成されている。前記左側壁５の内面には、摺動片１１の案内溝１２，１３に摺動可能に係合する案内突起１５，１６が形成されている。摺動片１１の前端１１ａには、バネ受け孔１８が形成され、当該バネ受け孔１８にバネ２５が設けられている。バネ２５は、バネガイド軸１９に巻装されている。バネガイド軸１９は、前端にフランジ２０と係合軸２１が形成されている。係合軸２１は、前記バネ受け板９に形成された透孔２２に係合し、フランジ２０がバネ受け板９に当接する。前記摺動片１１は、バネ２５によって後方（Ｙ方向）に付勢され、摺動片１１の後端１１ｂが係合板１０に係合する。
【００３０】
摺動片１１の後部には、後端１１ｂに向かって下降傾斜する傾斜面２６が形成され、ケース２には傾斜面２６と当接する当接片３０が設けられている。当接片３０は、板状に形成され、略中心部に中心軸３１が設けられ、中心軸３１の両側が右側壁４と左側壁５の軸受け孔４ａ，５ａに回動可能に取り付けられている。当接片３０の下部３０ｂが摺動片１１の傾斜面２６に当接し、当接片３０の上部３０ａがケース２内から上方に突出する。右側壁４には、コイルスプリング３８が巻装された支軸３２が設けられている。当該コイルスプリング３８は、先端３９が当接片３０に接触し、当接片３０の位置決めを行っているが、存在しなくても構わない。
【００３１】
摺動片１１と左側壁５の間には、ストッパー軸３５が配置されている。ストッパー軸３５は、両端が互いに異なる方向に折曲され、一方端３６が摺動片１１に形成された孔１４に回動可能に連結され、他方端３７が左側壁５の内面に形成された案内溝４０に摺動可能に案内される。
【００３２】
案内溝４０は、第１の案内溝４１と、第２の案内溝４２と、第３の案内溝４３とで構成されている。摺動片１１は、バネ２５により後方（Ｙ方向）に付勢され、ストッパー軸３５も後方（Ｙ方向）に付勢され、ストッパー軸３５の他方端３７が第１の案内溝４１の後端（初期位置）４５に係止して位置決めされる（図６参照）。第１の案内溝４１は、後端４５から斜め前方（Ｘ方向）に傾斜する傾斜溝４６と、傾斜溝４６の前端に連設する湾曲溝４７とからなり、湾曲溝４７の湾曲部がストッパー軸３５の他方端３７の係合部４８を構成する。
【００３３】
第１の案内溝４１の前端（中間位置）４９は、第２の案内溝４２の後端でもあり、第２の案内溝４２は、後端４９から前端５１に向かって直線状に伸びている。第３の案内溝４３は、前記中間位置４９から初期位置４５に直線状に伸びて形成されている。第３の案内溝４３には、ストッパー軸３５の他方端３７が中間位置４９から初期位置４５に移動可能であるが、ストッパー軸３５の他方端３７が初期位置４５から中間位置４９への移動を阻止する阻止部５３が形成されている。阻止部５３は、突起、段部等で構成される。
【００３４】
上記引き戸ストッパー装置１は、図３に示すように、襖、障子、窓戸、引込み戸等の引き戸７１に取り付けられる。図１に示すように、引き戸７１は、戸枠６１に摺動可能に取り付けられる。戸枠６１は、引き戸７１を案内する下案内部材６２及び上案内部材６３と、引き戸７１が当接する前戸当たり板６４及び後戸当たり板６５とからなる。下案内部材６２と上案内部材６３は、引き戸７１の横幅の約２倍の長さで形成されている。
【００３５】
戸枠６１の略半分、即ち、前戸当たり板６４と下案内部材６２及び上案内部材６３の略半分が戸袋６６内に収納されている。引き戸７１は、戸枠６１に摺動可能に取り付けられ、図３（ｃ）に示すように、開くと前戸当たり板６４に当接して戸袋６６内に収納され、図３（ａ）に示すように、閉じると後戸当たり板６５に当接する。引き戸７１の前部側面には、指掛け部７２が形成されている。
【００３６】
前記引き戸ストッパー装置１は、前部を戸袋６６側に向けて、引き戸７１の上端面７３に取り付けられる。引き戸ストッパー装置１は、引き戸７１の上端面７３上に直接取り付けても構わないが、上端面７３に凹部７５を形成し、当該凹部７５内にネジ等により固定することが望ましい。
【００３７】
戸枠６１の上案内部材６３には、引き戸ストッパー装置１の当接片３０の上部３０ａに当接するストッパー片８１が設けられている。ストッパー片８１の取付位置は、前記指掛け部７２が戸袋６６内に入る直前で、引き戸ストッパー装置１の当接片３０の上部３０ａが当たる位置である。この位置に取り付けることにより、指が戸袋６６と引き戸７１の間に挟み込まれることを防止することができる。ストッパー片８１は、直方体状に形成され、上壁８２が戸枠６１の上案内部材６３にネジ等により固定され、前壁８３と、下壁８４と、後壁８５に引き戸ストッパー装置１の当接片３０の上部３０ａが接触する。
【００３８】
引き戸ストッパー装置１の初期状態は、図４（ａ），図６（ａ）に示すように、摺動片１１がバネ（弾性部材）２５の弾性により引き戸７１の閉じる方向（Ｙ方向）に付勢されて係合板１０に係合し、ストッパー軸３５の他方端３７が案内溝４０の初期位置４５に位置しており、コイルスプリング３８の先端３９により当接片３０の下部３０ｂが摺動片１１の傾斜面２６に接触して位置決めされている。
【００３９】
引き戸ストッパー装置１は、引き戸７１を静かに開く場合と急激に開く場合とでは異なる動作をする。引き戸７１を静かに開く場合には、引き戸７１を停止させることなく、戸袋６６内に収納させることができ、引き戸７１を急激に開く場合には、引き戸７１を一旦停止させてから、戸袋６６内に収納させることができる。
【００４０】
引き戸７１をＸ方向に静かに開くと、ケース２に回動可能に取り付けられた当接片３０の他端３０ａが、図４（ｂ）に示すように、戸枠６１の凸部８１の後壁８５に係合して当接片３０が後方（時計方向）に回動し、図４（ｃ），図６（ｃ）に示すように、当接片３０の一端３０ｂが摺動片１１を弾性部材２５の弾性に抗して引き戸７１の開く方向（Ｘ方向）へ移動させる。摺動片１１が引き戸７１の開く方向（Ｘ方向）へ移動すると、図４（ｄ），図６（ｄ）に示すように、ストッパー軸３５の他方端３７が初期位置４５から第１の案内溝４１に沿って移動し、係合部４８を経て中間位置４９に移動する。ストッパー軸３５の他方端３７は、係合部４８が湾曲しているので、ゆっくり移動する場合には係合部４８に係合せず、自重で中間位置４９に落下する。なお、ストッパー軸３５の他方端３７は、第３の案内溝４３に阻止部５３が形成されているので、第３の案内溝４３に沿って初期位置４５から中間位置４９に移動することがない。
【００４１】
図５（ａ），図７（ａ）に示すように、さらに引き戸７１をＸ方向に静かに開くと、ケース２に回動可能に取り付けられた当接片３０の他端３０ａが、戸枠６１の凸部８１の下壁８４に摺接して当接片３０が後方（時計方向）に回動し、当接片３０の一端３０ｂが摺動片１１を弾性部材２５の弾性に抗して引き戸７１の開く方向（Ｘ方向）へ移動させ、ストッパー軸３５の他方端３７が中間位置４９から第２の案内溝４２に沿って最終位置５０に移動する。
【００４２】
引き戸ストッパー装置１は、引き戸７１を開いて、図５（ｂ），図７（ｂ）に示すように、当接片３０が戸枠６１の凸部８１から外れると、当接片３０が回動可能となり、弾性部材２５により摺動片１１が引き戸７１の閉じる方向（Ｙ方向）に摺動して係合板１０に係合し、ストッパー軸３５の他方端３７が最終位置５０から第２の案内溝４２に沿って中間位置４９に移動し、さらに中間位置４９から第３の案内溝４３に沿って初期位置４５に移動し、コイルスプリング３８の先端３９により当接片３０の下部３０ｂが摺動片１１の傾斜面２６に接触して、初期状態に復帰する。
【００４３】
このように、引き戸ストッパー装置１は、引き戸７１を静かに移動させると、戸枠６１の凸部８１に当接して停止することなく開くことができる。また、引き戸７１を戸袋６６に収納する場合であっても、引き戸７１を静かに移動させると、引き戸７１の指掛け部７２が戸袋６６内に収納される前に引き戸７１を一旦停止させることはないが、静かに引き戸７１を戸袋６６内に収納するので、指が引き戸７１の戸袋６６の間に巻き込まれることがない。
【００４４】
次に、引き戸ストッパー装置１は、図５（ｃ），図７（ｃ）に示すように、引き戸７１を閉じる方向（Ｙ方向）に移動させると、当接片３０の他端３０ａが戸枠６１の凸部８１に摺接して当接片３０が前方（反時計方向）に回動し、当接片３０の一端３０ｂが摺動片１１から外れて当接片３０が回動可能となり、引き戸７１をスムーズに閉じることができる。引き戸ストッパー装置１は、引き戸７１を閉じて、図５（ｄ），図７（ｄ）に示すように、当接片３０が戸枠６１の凸部８１から外れると、コイルスプリング３８の先端３９により当接片３０が位置決めされて、初期状態に復帰する。
【００４５】
引き戸ストッパー装置１は、図４（ｂ）に示すように、引き戸７１をＸ方向に急激に開くと、ケース２に回動可能に取り付けられた当接片３０の他端３０ａが、戸枠６１の凸部８１の後壁８５に係合して当接片３０が後方（時計方向）に回動し、図４（ｃ），図６（ｃ）に示すように、当接片３０の一端３０ｂが摺動片１１を弾性部材２５の弾性に抗して引き戸７１の開く方向（Ｘ方向）へ移動させる。
【００４６】
摺動片１１が引き戸７１の開く方向（Ｘ方向）へ移動すると、ストッパー軸３５の他方端３７が初期位置４５から第１の案内溝４１に沿って移動して係合部４８に係合し、摺動片１１がロックされる。なお、ストッパー軸３５の他方端３７は、第３の案内溝４３に阻止部５３が形成されているので、第３の案内溝４３に沿って初期位置４５から中間位置４９に移動することがない。摺動片１１がロックされると、当接片３０が回動不能となって戸枠６１の凸部８１に固定され、引き戸７１の開放方向（Ｘ方向）への移動が停止する。
【００４７】
引き戸ストッパー装置１は、引き戸７１をＸ方向に急激に開くと、当接片３０が戸枠６１の凸部８１に衝撃的に当接し、引き戸７１の開放方向（Ｘ方向）への移動が停止した後、図４（ｄ），図６（ｄ）に示すように、反動で引き戸７１を閉じる方向（Ｙ方向）に僅かに移動する。引き戸７１が僅かに閉じる方向（Ｙ方向）に移動すると、当接片３０も僅かに回動可能となり、弾性部材２５により摺動片１１が引き戸７１の閉じる方向（Ｙ方向）に僅かに摺動し、ストッパー軸３５の他方端３７が係合部４８から外れて第１の案内溝４１に沿って中間位置４９に移動する。
【００４８】
ストッパー軸３５の他方端３７が中間位置４９に移動すると、摺動片１１が自由状態となる。この状態で、図５（ａ），図７（ａ）に示すように、さらに引き戸７１をＸ方向に開くと、ケース２に回動可能に取り付けられた当接片３０の他端３０ａが、戸枠６１の凸部８１の下壁８４に摺接して当接片３０が後方（時計方向）に回動し、当接片３０の一端３０ｂが摺動片１１を弾性部材２５の弾性に抗して引き戸７１の開く方向（Ｘ方向）へ移動させ、ストッパー軸３５の他方端３７が中間位置４９から第２の案内溝４２に沿って最終位置５０に移動する。
【００４９】
なお、引き戸ストッパー装置１は、引き戸７１をＸ方向に急激に開くと、当接片３０が戸枠６１の凸部８１に衝撃的に当接し、引き戸７１の開放方向（Ｘ方向）への移動が停止した後、図４（ａ），図６（ａ）に示すように、反動で引き戸７１を閉じる方向（Ｙ方向）に大きく移動する場合がある。係る場合、当接片３０が凸部８１から離間するので、当接片３０が回動可能となり、弾性部材２５により摺動片１１が引き戸７１の閉じる方向（Ｙ方向）に摺動し、図４（ｄ），図６（ｄ）に示すように、ストッパー軸３５の他方端３７が係合部４８から外れて第１の案内溝４１に沿って中間位置４９に移動し、さらに第３の案内溝４３に沿って中間位置４９から初期位置４５に移動し、コイルスプリング３８の先端３９により当接片３０の下部３０ｂが摺動片１１の傾斜面２６に接触して、初期状態に復帰する。
【００５０】
引き戸ストッパー装置１は、引き戸７１を開いて、図５（ｂ），図７（ｂ）に示すように、当接片３０が戸枠６１の凸部８１から外れると、当接片３０が回動可能となり、弾性部材２５により摺動片１１が引き戸７１の閉じる方向（Ｙ方向）に摺動して係合板１０に係合し、ストッパー軸３５の他方端３７が最終位置５０から第２の案内溝４２に沿って中間位置４９に移動し、さらに中間位置４９から第３の案内溝４３に沿って初期位置４５に移動して、初期状態に復帰する。
【００５１】
このように、引き戸ストッパー装置１は、引き戸７１を急激に開くと戸枠６１の凸部８１に当接し、引き戸７１を戸枠６１の前戸当たり板６４に当たる直前で確実に停止させるので、引き戸７１及び戸枠６１を損傷から保護することができる。また、引き戸７１を戸袋６６に収納する場合には、引き戸７１の指掛け部７２が戸袋６６内に収納される前に引き戸７１を一旦停止させるので、指が引き戸７１の戸袋６６の間に巻き込まれることがなく、安全性を確保することができる。
【００５２】
次に、引き戸ストッパー装置１は、図５（ｃ），図７（ｃ）に示すように、引き戸７１を閉じる方向（Ｙ方向）に移動させると、当接片３０の他端３０ａが戸枠６１の凸部８１に摺接して当接片３０が前方（反時計方向）に回動し、当接片３０の一端３０ｂが摺動片１１から外れて当接片３０が回動可能となり、引き戸７１をスムーズに閉じることができる。引き戸ストッパー装置１は、引き戸７１を閉じて、図５（ｄ），図７（ｄ）に示すように、当接片３０が戸枠６１の凸部８１から外れると、コイルスプリング３８の先端３９により当接片３０が位置決めされて、初期状態に復帰する。
【００５３】
引き戸ストッパー装置１は、引き戸７１の上端面７３に設けたが、取付位置は上端面７３に限定するものではなく、下端面、側面等、適宜必要に応じて取付位置を変更することができる。引き戸７１は、戸袋６６内に完全に収納した場合、戸袋６６内から引き出し易くするため、図８（ａ）に示すように、引き戸７１の前端面７６に凹部７７を形成し、当該凹部７７内に取手７８を設けても良い。また、図８（ｂ）に示すように、戸袋６６の前戸当たり板６４にプッシュラッチ、弾性部材等の押出部材７９を設け、押すことによる反力によって引き出すようにしても構わない。
【産業上の利用可能性】
【００５４】
本願発明に係る引き戸ストッパー装置は、襖、障子、窓戸、引き出し等の開閉可能な引き戸に利用可能である。
【符号の説明】
【００５５】
１  引き戸ストッパー装置
２  ケース
３  底壁
４  右側壁
４ａ  軸受け孔
５  左側壁
５ａ  軸受け孔
６  ガイド突起
７  ガイド突起
９  バネ受け板
１０  係合板
１１  摺動片
１１ａ  前端
１１ｂ  後端
１２  案内溝
１３  案内溝
１４  孔
１５  案内突起
１６  案内突起
１８  バネ受け孔
１９  バネガイド軸
２０  フランジ
２１  係合軸
２２  透孔
２５  バネ（弾性部材）
２６  傾斜面
３０  当接片
３０ａ  上部（他端）
３０ｂ  下部（一端）
３１  中心軸
３２  支軸
３５  ストッパー軸
３６  一方端
３７  他方端
３８  コイルスプリング
３９  先端
４０  案内溝
４１  第１の案内溝
４２  第２の案内溝
４３  第３の案内溝
４５  後端（初期位置）
４６  傾斜溝
４７  湾曲溝
４８  係合部
４９  前端（中間位置），後端
５０  最終位置
５１  前端
５３  阻止部
６１  戸枠
６２  下案内部材
６３  上案内部材
６４  前戸当たり板
６５  後戸当たり板
６６  戸袋
７１  引き戸
７２  指掛け部
７３  上端面
７５  凹部
７６  前端面
７７  凹部
７８  取手
７９  押出部材
８１  ストッパー片（凸部）
８２  上壁
８３  前壁
８４  下壁
８５  後壁
【図１】
2013112968.tif 000003
【図２Ａ】
2013112968.tif 000004
【図２Ｂ】
2013112968.tif 000005
【図３】
2013112968.tif 000006
【図４】
2013112968.tif 000007
【図５】
2013112968.tif 000008
【図６】
2013112968.tif 000009
【図７】
2013112968.tif 000010
【図８】
2013112968.tif 000011